(57)【要約】【課題】本発明は本体部に対して可動部が回転することにより折り畳み可能な構成とされた携帯端末装置に関し、多機能化と操作性を共に向上することを課題とする。【解決手段】操作時に把持される本体部１１と、この本体部１１に対して開位置と折りたたみ位置との間で回動する可動部１２とを有する携帯端末装置において、前記折りたたみ位置にある際に本体部１１と対峙する可動部１２の面（可動部内面２５）で、かつ本体部１１を把持した際に指操作可能な範囲内に操作キー４０を設けた構成とする。【選択図】　　　図１
2004080184.tif 000002
【特許請求の範囲】
【請求項１】
操作時に把持される本体部と、
該本体部に対し、開位置と折りたたみ位置との間で回動する可動部とを有する携帯端末装置において、
前記折りたたみ位置にある際に前記本体部と対峙する前記可動部の面で、かつ前記本体部を把持した際に指操作可能な範囲内に、操作キーを設けたことを特徴とする携帯端末装置。
【請求項２】
請求項１記載の携帯端末装置において、
前記可動部にくぼみ部を形成すると共に、前記操作キーが該くぼみ部内に位置するよう設け、
かつ、前記くぼみ部の深さを、前記操作キーの前記くぼみ部の底部からの突出量に対して大きく設定したことを特徴とする携帯端末装置。
【請求項３】
請求項１または２記載の携帯端末装置において、
前記本体部は少なくともマイクを有し、
前記可動部は、少なくとも液晶表示部とスピーカとを有し、
かつ、前記可動部は前記本体部にヒンジ部を介して回動可能に取り付けられていることを特徴とする携帯端末装置。
【請求項４】
請求項３記載の携帯端末装置において、
前記操作キーは、前記液晶表示部と前記ヒンジ部との間に配設されていることを特徴とする携帯端末装置。
【請求項５】
請求項１乃至４のいずれか１項に記載の携帯端末装置において、
前記操作キーはファンクションキーであることを特徴とする携帯端末装置。
【発明の詳細な説明】
【０００１】
【発明の属する技術分野】
本発明は携帯端末装置に係り、特に本体部に対して可動部が回転することにより折り畳み可能な構成とされた携帯端末装置に関する。
【０００２】
【従来の技術】
近年、携帯端末装置の一種である携帯電話機は、種々の形態のものが提供されている。その中で、本体部に対して可動部が回動することにより、携帯時においては可動部を本体部に沿うよう折りたたむことができるタイプ（以下、折りたたみタイプという）の携帯電話機が広く用いられるようになってきている。
【０００３】
この折りたたみタイプの携帯電話機は、本体部にマイク，テンキー，カーソルキー，電源キー，通話機キー等が配設されると共に、可動部にスピーカ，液晶表示部（以下、ＬＣＤ表示部という）等が配設されている。そして、この可動部はヒンジ部を介して本体部に回動可能に接続され、これにより可動部は本体部に対して折りたたみ可能な構成とされている。
【０００４】
上記構成とされた折りたたみタイプの携帯電話機は、携帯時には折りたたむことにより自動的に各キーが可動部と本体部の間に挟まれた状態となり誤操作を防止できるという利点がある。また、折りたたみタイプの携帯電話機は、通話時においては可動部を本体部に対して開いた状態とすることにより、他のタイプの携帯電話（例えば、ストレートタイプ等）に比べて全体長が長くなる。このため、マイクの位置とスピーカの位置を離間させること可能となり、よってマイクの位置を操作者（通話者）の口元近傍に、またスピーカを操作者の耳元近傍に位置させることができ通話がし易いという利点がある。これらの点より、折りたたみタイプの携帯電話機は、近年広く用いられるようになってきている。
【０００５】
一方において、携帯電話機は多機能化が進み、これに伴いこれを操作するために用いる操作キーの数も増大する傾向にある。具体的には、上記したテンキー，カーソルキー等の従来から配置されている操作キーに加え、通話を行なうためのワンタッチ発信キーやメールのあて先登録を行なう登録キーが設けられたものが提供されるようになってきている。
【０００６】
通常、上記した折りたたみタイプの携帯電話機は、通話を行なう携帯電話の操作者は、一方の手の手のひらで本体部を把持し、親指操作により各種操作キーを操作する。このため、従来から存在するテンキー，カーソルキー等は、指操作が容易な本体部に全て配設された構成とされていた。
【０００７】
しかしながら、上記のように携帯電話機の多機能化に伴い操作キーの数が増大すると、本体部だけでは全ての操作キーを配置することができなくなった。このため、従来では特開２００２−１７６４７６号公報に開示されるように、本体部ばかりではなく、可動部にも操作キーを配設することが提案されている。
【０００８】
【発明が解決しようとする課題】
しかしながら、上記した公報に開示された携帯電話機では、可動部のスピーカ近傍に操作キーが配設された構成とされていた。即ち、可動部に設けられた操作キーは、本体部から遠く離間した位置に配設されていた。
【０００９】
このため、本体部から遠く離間したスピーカ近傍に位置する操作キーを操作しようとした場合、本体部を把持したままの状態では操作ができない。このため、指が操作キーに届くよう本体部を持ち変えたり、或いは本体部を把持している手とは反対側の手を用い、両手を用いて操作キーを操作する必要があった。このように、従来の携帯電話機では、多数設けられた操作キーの操作性が悪いという問題点があった。
【００１０】
また、従来の可動部に設けられた操作キーは、可動部の内面（折りたたんだ時に本体部と対峙する面）から突出するよう設けられていた。このため、通話時にスピーカに耳を当てると、これにより操作キーが誤操作されるおそれがあった。また、操作キーが上記の対峙面から突出することにより、可動部を折りたたんだ際、この突出した操作キーが本体部と当接して押圧され、これによっても誤操作が発生するおそれがあるという問題点があった。
【００１１】
本発明は上記の点に鑑みてなされたものであり、多機能化と操作性を共に向上しうる携帯端末装置を提供することを目的とする。
【００１２】
【課題を解決するための手段】
上記の課題を解決するために本発明では、次に述べる各手段を講じたことを特徴とするものである。
【００１３】
請求項１記載の発明は、
操作時に把持される本体部と、
該本体部に対し、開位置と折りたたみ位置との間で回動する可動部とを有する携帯端末装置において、
前記折りたたみ位置にある際に前記本体部と対峙する前記可動部の面で、かつ前記本体部を把持した際に指操作可能な範囲内に、操作キーを設けたことを特徴とするものである。
【００１４】
上記発明によれば、可動部が折りたたみ位置にある時に、この可動部が本体部と対峙する面に操作キーを設けたことにより、折りたたみ状態では操作キーも本体部と対峙した状態となっている。よって、可動部が折りたたみ位置にある状態において、操作キーが誤操作されることを防止することができる。
【００１５】
また、操作キーは、本体部を把持した際に指操作可能な範囲内に設けられている。このため、操作キーを可動部に設けても、本体部を持ち変えることなく操作キーを操作でき、よって操作キーの操作性を良好とすることができる。
【００１６】
また、請求項２記載の発明は、
請求項１記載の携帯端末装置において、
前記可動部にくぼみ部を形成すると共に、前記操作キーが該くぼみ部内に位置するよう構成し、
かつ、前記くぼみ部の深さを、前記操作キーの前記くぼみ部の底部からの突出量に対して大きく設定したことを特徴とするものである。
【００１７】
上記発明によれば、操作キーを可動部に形成したくぼみ部内に位置するように設けると共に、くぼみ部の深さ（ｈ１）が操作キーのくぼみ部の底部からの突出量（ｈ１）に対して大きく設定（ｈ１＞ｈ２）したことにより、可動部を折りたたみ位置まで回動させても、操作キーが本体部と干渉することはない。このため、可動部の折りたたみ動作により、或いは折りたたみ状態中に操作キーが誤操作されることを防止できる。
【００１８】
また、請求項３記載の発明は、
請求項１または２記載の携帯端末装置において、
前記本体部は少なくともマイクを有し、
前記可動部は、少なくとも液晶表示部とスピーカを有し、
かつ、前記可動部は前記本体部にヒンジ部を介して回動可能に取り付けられていることを特徴とするものである。
【００１９】
上記発明によれば、少なくとも液晶表示部とスピーカとを有する可動部が、少なくともマイクを有する本体部にヒンジ部を介して回動可能に取り付けられた構成であるため、携帯端末装置を折りたたみタイプの携帯電話として用いることができる。
【００２０】
また、請求項４記載の発明は、
請求項３記載の携帯端末装置において、
前記操作キーは、前記液晶表示部と前記ヒンジ部との間に配設されていることを特徴とするものである。
【００２１】
上記発明によれば、本体部を把持した際に指操作可能な範囲内である液晶表示部とヒンジ部との間に操作キーが配設されているため、操作キーの操作性を高めることができる。
【００２２】
また、請求項５記載の発明は、
請求項１乃至４のいずれか１項に記載の携帯端末装置において、
前記操作キーはファンクションキーであることを特徴とするものである。
【００２３】
上記発明によれば、本体部を把持した際に指操作可能な範囲内の可動部に、頻繁に操作されるファンクションキーが設けられるため、操作キーを頻繁に操作しても使用者に負担がかかる（例えば指が疲れる等）ことを防止できる。
【００２４】
【発明の実施の形態】
次に、本発明の実施の形態について図面と共に説明する。
【００２５】
図１乃至図３は、本発明の一実施例である携帯端末装置を示している。本実施例では、携帯端末装置として携帯電話機を例に挙げて説明するものとする。
【００２６】
まず、図１及び図２を用いて携帯電話機１０の全体構成について説明する。携帯電話機１０は、大略すると本体部１１，可動部１２，及びヒンジ部１３等により構成されている。
【００２７】
可動部１２は、ヒンジ部１３を介して本体部１１に対して回動可能な構成とされている。図１に示す携帯電話機１０は、可動部１２が本体部１１に対して開いた開位置に回動した状態を示している。この態において、操作者は後述する各種操作キーを操作することにより、通話したりまた携帯電話機１０の有する各種機能を実行する。また、図２に示す携帯電話機１０は、可動部１２が本体部１１と対峙する折りたたみ位置まで回動された状態（以下、折りたたみ状態という）を示している。携帯電話機１０は、この折りたたみ状態で形態される。
【００２８】
以下、携帯電話機１０を構成する本体部１１，可動部１２，及びヒンジ部１３の詳細について説明する。
本体部１１は、折りたたみ状態において可動部１２と対峙する本体部内面１４にテンキー１６，電源キー１７，通話キー１８，メニューキー１９，電話帳キー２０，及びカーソルキー２１等の多数のキーが配置されている。また、本体部１１のヒンジ部１３から最も離間した位置には、マイク２２が配設されている。更に、本体部１１の側面部には、イヤホンジャック２４が、また本体部１１の本体部外面１５には外部用スピーカ２３が夫々配置されている。
【００２９】
本体部１１に配設された各種操作キー１６〜２１は、携帯電話機１０としての基本的な操作キーであり、従来から設けられているものである。また、これらの操作キー１６〜２１は、図１（Ａ）に示すように、本体部１１の本体部内面１４に高密度に配置されている。
【００３０】
一方、可動部１２は、折りたたみ状態において可動部１２と対峙する可動部内面２５に、液晶表示素子２８（以下、ＬＣＤ表示素子という），スピーカ３１を有すると共に、上部にはアンテナ２７が配設されている。また、図１（Ｃ）及び図２（Ａ）に示されるように、可動部１２の可動部外面２６には背面液晶表示素子３０（以下、背面ＬＣＤという）が設けられている。
【００３１】
このように、可動部外面２６に背面ＬＣＤ３０を設けることにより、携帯電話機１０が折りたたみ状態とされていても、この背面ＬＣＤ３０により電話やメールが受信されたことを認知することが可能となる。また、可動部１２の側部には、音量調整を行なうためのボリュームキー２９が設けられている。
【００３２】
更に、本実施例に係る携帯電話機１０は、可動部１２に操作キー４０を設けた構成とされている。この操作キー４０は、例えば通話を行なうためのワンタッチ発信キーや、メールのあて先登録を行なう登録キー等であり、携帯電話機１０の多機能化により設けられたキーである。
【００３３】
ここで、操作キー４０の配設位置に注目する。本実施例では、操作キー４０は可動部１２の可動部内面２５に設けられている。また、操作キー４０は、ヒンジ部１３と、可動部１２のＬＣＤ表示素子２８の配設位置との間の位置に設けられている。即ち、操作キー４０は、可動部内面２５上で、本体部１１に近い位置に配置された構成とされている。
【００３４】
このように、操作キー４０を可動部１２の可動部内面２５に設けたことにより、折りたたみ状態では操作キー４０も他の操作キー１６〜２１と同様に本体部１１と可動部１２との間に位置することとなる（図２（Ｂ）参照）。即ち、操作キー４０は、本体部１１と対峙した状態となる。
【００３５】
よって、可動部１２が折りたたみ位置にある状態では操作キー４０を操作することは不可能となり、携帯時の携帯電話機１０の不使用時に操作キー４０が誤操作されることを確実に防止することができる。このように誤操作が防止されることにより、余分な電力の消費を抑制でき待ち受け時間の短縮を防止でき、また誤発信の防止を図ることもできる。
【００３６】
また上記したように、操作キー４０は本体部１１に近い位置（ヒンジ部１３とＬＣＤ表示素子２８の配設位置との間の位置）に設けられている。この操作キー４０の配設位置は、操作者が本体部１１を把持した際に指操作可能な範囲内にあるよう設定されている。
【００３７】
操作者が携帯電話機１０を操作する際、操作者は本体部１１を片手で把持した状態で操作するのが一般的である。また、各操作キー１６〜２１の操作は、通常親指を用いて行なわれる。本実施例では、このように通常の携帯電話機１０の把持状態（従来と同様の把持状態）において、可動部１２上で操作者が指操作可能な範囲に操作キー４０を設けたことを特徴としている。
【００３８】
これにより、操作キー４０を可動部１２に設けても、操作者は本体部１１を持ち変えることなく、また両手を用いることなく操作キーを操作でき、よって操作キー４０の操作性を良好とすることができる。また、本実施例では頻繁に操作されるワンタッチ発信キーや登録キー、或いは各種機能設定を行なう設定キー等のファンクションキーを操作キー４０としている。しかしながら、上記のように指操作可能な範囲に操作キー４０を設けることにより、操作キー４０を頻繁に操作しても、使用者に負担がかかること（例えば指が疲れる等）を防止できる。
【００３９】
このように、本実施例によれば、携帯電話機１０の多機能化により操作キーの数が増加しても、可動部１２上で操作者の指操作可能な範囲内に操作キー４０を設けることにより高い操作性を維持することができる。即ち、本実施例によれば、携帯電話機１０の多機能化と高い操作性とを両立することが可能となる。
【００４０】
ここで、操作キー４０と可動部内面２５の高さ関係に注目し、以下説明する。図４は、図３におけるＡ−Ａ線に沿う断面を示している。同図に示すように、操作キー４０は、可動部内面２５（可動部１２）に形成されたくぼみ部４１内に設けられている。
【００４１】
また、複数（本実施例では３個）の操作キー４０は、それぞれスイッチノブ４２とスイッチ本体４３とにより構成されている。スイッチ本体４３は、可動部１２内に配設された基板（図示せず）に配設されており、スイッチノブ４２はその上部に配設されている。
【００４２】
また、くぼみ部４１の底面４１ａには開口部４５が形成されており、スイッチノブ４２はこの開口部４５よりくぼみ部４１内に突出した構成とされている。そして、スイッチノブ４２が押されることにより、スイッチ本体４３はＯＮ／ＯＦＦの電気的な切り換えを行う構成とされている。尚、鍔部４４は、スイッチノブ４２が可動部内面２５から離脱するのを防止するために設けられている。
【００４３】
上記構成において、くぼみ部４１の可動部内面２５からの深さｈ１と、くぼみ部４１の底面４１ａからのスイッチノブ４２の突出量ｈ２に注目する。本実施例では、図４に示されるように、くぼみ部４１の深さ（ｈ１）がスイッチノブ４２（操作キー４０）の突出量（ｈ１）に対して大きくなるよう設定されている（ｈ１＞ｈ２）。
【００４４】
この構成とすることにより、図２に示すように可動部１２を折りたたみ位置まで回動させても、操作キー４０が本体部１１と干渉することを防止できる。よって、可動部１２の折りたたみ動作により、または折りたたみ状態中（即ち、携帯電話機１０の不使用時や携帯時）に操作キー４０が誤操作されることを防止できる。従って、これによっても余分な電力の消費を抑制でき待ち受け時間の短縮を防止できると共に、誤発信の防止を図ることができる。また、本体部１１と可動部１２との間に、操作キー４０による間隙がなくなるため、携帯電話機１０の薄型化を図ることができる。
【００４５】
尚、本実施例では操作キーとして、通話を行なうためのワンタッチ発信キーや、メールのあて先登録を行なう登録キーを例に挙げて説明したが、他のキーを可動部１２の指操作可能な範囲に設けた構成としてもよい。この際、可動部１２に設けるキーは、必ずしも多機能化により新設された操作キーに限定されものではなく、従来からある操作キーを可動部１２に設け、新設された操作キーを本体部１１に配設する構成としてもよい。
【００４６】
【発明の効果】
上述の如く本発明によれば、次に述べる種々の効果を実現することができる。
【００４７】
請求項１記載の発明によれば、操作キーが誤操作されることを防止することができると共に操作キーの操作性を良好とすることができる。
【００４８】
また、請求項２記載の発明によれば、可動部の折りたたみ動作により、或いは折りたたみ状態中に操作キーが誤操作されることを防止できると共に、装置全体の薄型化を図ることができる。
【００４９】
また、請求項３記載の発明によれば、携帯端末装置を折りたたみタイプの携帯電話として用いることができる。
【００５０】
また、請求項４記載の発明によれば、本体部を把持した際に指操作可能な範囲内である液晶表示部とヒンジ部との間に操作キーが配設されているため、操作キーの操作性を高めることができる。
【００５１】
また、請求項５記載の発明によれば、ファンクションキーを頻繁に操作しても使用者に負担がかかることを防止できる。
【図面の簡単な説明】
【図１】本発明の一実施例である携帯端末装置となる携帯電話機を示しており、（Ａ）は可動部が開いた状態の正面図、（Ｂ）は可動部が開いた状態の側面図、（Ｃ）は可動部が開いた状態の背面図である。
【図２】本発明の一実施例である携帯端末装置となる携帯電話機を示しており、（Ａ）は可動部が折りたたみ状態の正面図、（Ｂ）は可動部が折りたたみ状態の側面図、（Ｃ）は可動部が折りたたみ状態の背面図である。
【図３】操作キー近傍を拡大して示す図である。
【図４】図３におけるＡ−Ａ線に沿う断面図である。
【符号の説明】
１０　携帯電話機
１１　本体部
１２　可動部
１３　ヒンジ部
１４　本体部内面
１５　本体部外面
１６　テンキー
２１　カーソルキー
２２　マイク
２３　外部用スピーカ
２４　イヤホンジャック
２５　可動部内面
２６　可動部外面
２８　ＬＣＤ表示素子
４０　操作キー
４１　くぼみ部
４１ａ　底面
４２　スイッチノブ
４３　スイッチ本体
４４　鍔部
４５　開口部
【図１】
2004080184.tif 000003
【図２】
2004080184.tif 000004
【図３】
2004080184.tif 000005
【図４】
2004080184.tif 000006